(57)【要約】【課題】ヒートシンクをフレームに組み込む作業の作業効率の向上を図ること。【解決手段】少なくとも後面に後方開口１５が形成され、かつ装置本体１の内部に収納された半導体素子Ｈを放熱させるフィンユニット２０が配設されるフレーム１０を備えた電力変換装置において、フレーム１０及びフィンユニット２０の少なくとも一方に配設され、かつ後方開口１５を通じてフィンユニット２０をフレーム１０の内部に相対的に進入させる際に該フィンユニット２０を該フレーム１０の所定箇所に案内するガイド部材１６を備えたものである。【選択図】図３
2015195672.tif 000002
【特許請求の範囲】
【請求項１】
少なくとも後面に後方開口が形成され、かつ装置本体の内部に収納された半導体素子を放熱させるヒートシンクが配設されるフレームを備えた電力変換装置において、
前記フレーム及び前記ヒートシンクの少なくとも一方に配設され、かつ前記後方開口を通じて前記ヒートシンクを前記フレームの内部に相対的に進入させる際に該ヒートシンクを該フレームの所定箇所に案内するガイド部材を備えたことを特徴とする電力変換装置。
【請求項２】
前記ガイド部材は、前記フレームにおける予め決められた略矩形状の前記ヒートシンクの配設領域の互いに対向する縁端部の近傍において、少なくとも１つ以上形成されることを特徴とする請求項１に記載の電力変換装置。
【請求項３】
前記ガイド部材は、前記後方開口から離隔するに連れて前記縁端部に漸次近接するよう傾斜するガイド傾斜部を備えたことを特徴とする請求項２に記載の電力変換装置。
【請求項４】
前記ヒートシンクは、前端面の縁端部において、後方に向かうに連れて漸次外方に傾斜するヒートシンク傾斜部を備えたことを特徴とする請求項２又は請求項３に記載の電力変換装置。
【発明の詳細な説明】
【技術分野】
【０００１】
本発明は、電力変換装置に関するものである。
【背景技術】
【０００２】
従来、例えば昇降機や空調機等の制御において電力変換装置が用いられており、この種の電力変換装置は、主要部品である半導体素子が装置本体に収納されるとともに、この半導体素子を冷却するためのヒートシンクが設けられている（例えば、特許文献１参照）。
【先行技術文献】
【特許文献】
【０００３】
【特許文献１】特許４９３６０１９号公報
【発明の概要】
【発明が解決しようとする課題】
【０００４】
上記特許文献１に提案されている電力変換装置では、装置本体を構成するフレームの内部にヒートシンクを相対的に進入させて、該フレームの所定箇所にヒートシンクを固定配置することとなるが、該ヒートシンクをフレームの所定箇所に配置させるためには専用の治具等を必要としていた。そのため、上述した電力変換装置では、ヒートシンクをフレームに組み込むための作業が煩雑なものとなる虞れがあった。
【０００５】
本発明は、上記実情に鑑みて、ヒートシンクをフレームに組み込む作業の作業効率の向上を図ることができる電力変換装置を提供することを目的とする。
【課題を解決するための手段】
【０００６】
上記目的を達成するために、本発明に係る電力変換装置は、少なくとも後面に後方開口が形成され、かつ装置本体の内部に収納された半導体素子を放熱させるヒートシンクが配設されるフレームを備えた電力変換装置において、前記フレーム及び前記ヒートシンクの少なくとも一方に配設され、かつ前記後方開口を通じて前記ヒートシンクを前記フレームの内部に相対的に進入させる際に該ヒートシンクを該フレームの所定箇所に案内するガイド部材を備えたことを特徴とする。
【０００７】
また本発明は、上記電力変換装置において、前記ガイド部材は、前記フレームにおける予め決められた略矩形状の前記ヒートシンクの配設領域の互いに対向する縁端部の近傍において、少なくとも１つ以上形成されることを特徴とする。
【０００８】
また本発明は、上記電力変換装置において、前記ガイド部材は、前記後方開口から離隔するに連れて前記縁端部に漸次近接するよう傾斜するガイド傾斜部を備えたことを特徴とする。
【０００９】
また本発明は、上記電力変換装置において、前記ヒートシンクは、前端面の縁端部において、後方に向かうに連れて漸次外方に傾斜するヒートシンク傾斜部を備えたことを特徴とする。
【発明の効果】
【００１０】
本発明によれば、フレーム及びヒートシンクの少なくとも一方に配設されたガイド部材が、後方開口を通じてヒートシンクをフレームの内部に相対的に進入させる際に、該ヒートシンクを該フレームの所定箇所に案内するので、従来のような専用の治具等を必要とせずにフレームに対するヒートシンクの位置決めを行うことができ、ヒートシンクをフレームに組み込む作業の作業効率の向上を図ることができるという効果を奏する。
【図面の簡単な説明】
【００１１】
【図１】図１は、本発明の実施の形態である電力変換装置を模式的に示す側面図である。
【図２】図２は、図１に示した電力変換装置を構成するフレームを後方側から見た場合を示す背面図である。
【図３】図３は、フレームに対するフィンユニットの組み込み作業を模式的に示す断面側面図である。
【図４】図４は、フレームに対するフィンユニットの組み込み作業を模式的に示す断面側面図である。
【図５】図５は、フレームに対するフィンユニットの組み込み作業を模式的に示す断面側面図である。
【発明を実施するための形態】
【００１２】
以下に添付図面を参照して、本発明に係る電力変換装置の好適な実施の形態について詳細に説明する。
【００１３】
図１は、本発明の実施の形態である電力変換装置を模式的に示す側面図である。ここで例示する電力変換装置は、装置本体１を備えている。
【００１４】
装置本体１は、収納本体２とフレーム１０とを備えて構成されている。収納本体２は、後面が開口した直方状の形態を成す箱体であり、フレーム１０の前方域を覆う態様で該フレーム１０に連結されている。
【００１５】
かかる収納本体２は、例えばプラスチック等の樹脂材料から形成されるもので、フレーム１０との間に様々制御機器を収納するための収納空間３を画成している。
【００１６】
フレーム１０は、例えばプラスチック等の樹脂材料、あるいはアルミニウム（又はアルミニウム合金）等の金属材料から形成されている。このフレーム１０は、収納本体２の内部を臨むよう該収納本体２に覆われる前面部１１と、前面部１１の左右両端部より前方及び後方に向けて延在する左右一対の側面部１２とが一体的に形成されることで、上面及び下面に外部の空気が通過するための通風開口１３，１４が形成されるとともに、後面にも後方開口１５が形成されている。
【００１７】
そして、上面の通風開口１３は、フレーム１０に支持された送風ファンＦが配設されることにより閉塞されている。ここで送風ファンＦは、駆動することにより、下面に形成された通風開口１４より外部の空気をフレーム１０の内部に導入し、フレーム１０の内部を通過した空気を上面の通風開口１３を通じて外部に送出するものである。また、下面の通風開口１４は、適宜図示せぬフィルタ等により覆われている。
【００１８】
図１に示すように、フレーム１０には、ヒートシンクであるフィンユニット２０が配設されている。
【００１９】
フィンユニット２０は、例えばアルミニウム（又はアルミニウム合金）等の良好な熱伝導性を有する高熱伝導性材料から形成されるもので、ベース部２１と複数のフィン２２とを備えて構成されている。
【００２０】
ベース部２１は、略平板状の形態を成すものであり、フレーム１０の前面部１１に形成された取付開口１１ａ（図２等参照）を閉塞する態様で該前面部１１に取り付けられている。このベース部２１の前面には、該取付開口１１ａを貫通する態様で例えばＩＧＢＴ（Insulated  Gate  Bipolar  Transistor）のような半導体素子Ｈが熱的に接続されている。
【００２１】
複数のフィン２２は、それぞれ薄板状の形態を成している。これらフィン２２は、ベース部２１の後面に左右方向に沿って並ぶよう所定間隔毎に起立姿勢にて配設されている。
【００２２】
このようなフィンユニット２０が配設されるフレーム１０には、図２に示すように、複数（図示の例では４つ）のガイド部材１６が設けられている。
【００２３】
ガイド部材１６は、フレーム１０の前面部１１の後面において後方に突出する態様で一体的に形成された薄板状のものである。これらガイド部材１６は、フレーム１０の前面部１１の後面において予め決められた略矩形状のフィンユニット配設領域（ヒートシンクの配設領域）Ｓの互いに対向する縁端部Ｓ１，Ｓ２の近傍に設けられている。
【００２４】
より詳細には、４つのガイド部材１６のうち、２つの上方ガイド部材１６ａは、フィンユニット配設領域Ｓにおける上方側縁端部Ｓ１の近傍において、互いに左右に離れた状態で上下方向に沿って延在する態様で配設されている。また、残りの２つの下方ガイド部材１６ｂは、フィンユニット配設領域Ｓにおける下方側縁端部Ｓ２の近傍において、互いに左右に離れた状態で上下方向に沿って延在する態様で配設されている。
【００２５】
そして、上方ガイド部材１６ａは、図３に示すように、上方ガイド傾斜部１７ａが形成されている。上方ガイド傾斜部１７ａは、上方ガイド部材１６ａの後端部の下方側の一部から該上方ガイド部材１６ａの下端部の後方側の一部に亘って形成されており、後方開口１５から離隔するに連れてフィンユニット配設領域Ｓにおける上方側縁端部Ｓ１に漸次近接するよう下方に傾斜している。
【００２６】
また、下方ガイド部材１６ｂは、図３に示すように、下方ガイド傾斜部１７ｂが形成されている。下方ガイド傾斜部１７ｂは、下方ガイド部材１６ｂの後端部の上方側の一部から該下方ガイド部材１６ｂの上端部の後方側の一部に亘って形成されており、後方開口１５から離隔するに連れてフィンユニット配設領域Ｓにおける下方側縁端部Ｓ２に漸次近接するよう上方に傾斜している。
【００２７】
更に、このようなフレーム１０に配設されるフィンユニット２０においても、図３に示すように、フィン傾斜部（ヒートシンク傾斜部）２３が形成されている。このフィン傾斜部２３は、上方フィン傾斜部２３ａと下方フィン傾斜部２３ｂとを有している。
【００２８】
上方フィン傾斜部２３ａは、フィンユニット２０におけるベース部２１の前端面の上縁部において、後方に向かうに連れて漸次上方（外方）に傾斜する態様で形成されている。下方フィン傾斜部２３ｂは、フィンユニット２０におけるベース部２１の前端面の下縁部において、後方に向かうに連れて漸次下方に傾斜する態様で形成されている。
【００２９】
上記フィンユニット２０をフレーム１０に配設するためには、図３に示すように、フレーム１０の後方開口１５を通じてフィンユニット２０をフレーム１０の内部に相対的に進入させるようフィンユニット２０をフレーム１０に組み込む作業を行う必要がある。
【００３０】
このフィンユニット２０をフレーム１０に組み込む作業において、図４に示すようにフィンユニット２０がフィンユニット配設領域Ｓよりも僅かに上方側に位置している場合でも、フレーム１０に形成された上方ガイド部材１６ａの上方ガイド傾斜部１７ａにフィンユニット２０の上方フィン傾斜部２３ａが摺接することで、フレーム１０に対してフィンユニット２０を相対的に下方に移動させることができる。この結果、図５に示すように、フィンユニット配設領域Ｓにフィンユニット２０を配置することができ、その後にネジ等の締結部材を介してフィンユニット２０をフレーム１０の前面部１１に固定配置させることができる。
【００３１】
尚、ここでは一例としてフィンユニット２０がフィンユニット配設領域Ｓよりも僅かに上方側に位置している場合について説明したが、フィンユニット２０がフィンユニット配設領域Ｓよりも僅かに下方側に位置している場合でも、フレーム１０に形成された下方ガイド部材１６ｂの下方ガイド傾斜部１７ｂにフィンユニット２０の下方フィン傾斜部２３ｂが摺接することで、フレーム１０に対してフィンユニット２０を相対的に上方に移動させることができる。この結果、フィンユニット配設領域Ｓにフィンユニット２０を配置することができ、その後にネジ等の締結部材を介してフィンユニット２０をフレーム１０の前面部１１に固定配置させることができる。
【００３２】
以上説明したように、本発明の実施の形態である電力変換装置によれば、フレーム１０に形成されたガイド部材１６が、後方開口１５を通じてフィンユニット２０をフレーム１０の内部に相対的に進入させるフィンユニット２０の組み込み作業を行う場合に、フィンユニット２０をフィンユニット配設領域Ｓに案内するので、従来のような専用の治具等を必要とせずにフレーム１０に対するフィンユニット２０の位置決めを行うことができ、フィンユニット２０をフレーム１０に組み込む作業の作業効率の向上を図ることができる。
【００３３】
上記電力変換装置によれば、ガイド部材１６がフレーム１０の前面部１１の後面に形成されていることで、該ガイド部材１６がリブとして機能して該フレーム１０の補強材としての役割を果たすことで、フレーム１０の強度の向上を図ることができる。
【００３４】
上記電力変換装置によれば、上方ガイド部材１６ａに上方ガイド傾斜部１７ａ、並びに下方ガイド部材１６ｂに下方ガイド傾斜部１７ｂが形成されていることで、これら上方ガイド傾斜部１７ａ及び下方ガイド傾斜部１７ｂの端面にフィンユニット２０を摺接させることにより、フィンユニット２０の案内を容易なものとすることができる。更にフィンユニット２０にも上方フィン傾斜部２３ａ及び下方フィン傾斜部２３ｂが形成されていることで、これら上方フィン傾斜部２３ａ及び下方フィン傾斜部２３ｂの端面にガイド部材１６を摺接させることにより、フィンユニット２０の案内を容易なものとすることができる。
【００３５】
以上、本発明の好適な実施の形態及びその変形例について説明したが、本発明はこれらに限定されるものではなく、種々の変更を行うことができる。
【００３６】
上述した実施の形態では、ガイド部材１６（上方ガイド部材１６ａ及び下方ガイド部材１６ｂ）にガイド傾斜部（上方ガイド傾斜部１７ａ及び下方ガイド傾斜部１７ｂ）が形成され、かつフィンユニット２０にフィン傾斜部２３（上方フィン傾斜部２３ａ及び下方フィン傾斜部２３ｂ）とが形成されていたが、本発明においては、ガイド部材にガイド傾斜部が形成されているだけでもよいし、ヒートシンクにヒートシンク傾斜部が形成されているだけでもよい。
【００３７】
上述した実施の形態では、ガイド部材１６が、フィンユニット配設領域Ｓの上方側縁端部Ｓ１及び下方側縁端部Ｓ２の近傍に形成されていたが、本発明においては、フレームにおける予め決められた略矩形状のヒートシンクの配設領域の互いに対向する縁端部の近傍にガイド部材が配設されていれば、ガイド部材の数や形状、その他の縁端部でのガイド部材の形成については特に限定されるものではない。例えば、ガイド部材は、フィンユニット配設領域Ｓの右方側縁端部及び左方側縁端部の近傍に形成したり、フィンユニット配設領域Ｓの上方側縁端部Ｓ１、下方側縁端部Ｓ２、右方側縁端部及び左方側縁端部のそれぞれの近傍に形成したりするようにしてもよい。
【００３８】
上述した実施の形態では、ガイド部材１６がフレーム１０に形成されていたが、本発明においては、ヒートシンク（フィンユニット）に形成されていてもよい。
【符号の説明】
【００３９】
１  装置本体
２  収納本体
１０  フレーム
１１  前面部
１１ａ  取付開口
１２  側面部
１５  後方開口
１６  ガイド部材
１６ａ  上方ガイド部材
１６ｂ  下方ガイド部材
１７ａ  上方ガイド傾斜部
１７ｂ  下方ガイド傾斜部
２０  フィンユニット
２１  ベース部
２２  フィン
２３  フィン傾斜部
２３ａ  上方フィン傾斜部
２３ｂ  下方フィン傾斜部
Ｈ  半導体素子
Ｓ  フィンユニット配設領域
Ｓ１  上方側縁端部
Ｓ２  下方側縁端部
【図１】
2015195672.tif 000003
【図２】
2015195672.tif 000004
【図３】
2015195672.tif 000005
【図４】
2015195672.tif 000006
【図５】
2015195672.tif 000007